(57)【要約】      （修正有）【課題】長寿命化を図った表示装置を提供する。【解決手段】表示装置は、複数の光源と、当該複数の光源の駆動の許否の設定を切り替える切替部と、切替部を制御する制御部と、を備える。光源は、順番に駆動するように設定される。そのため、光源全体の長寿命化を図ることが可能となり、表示装置の長寿命化を図ることが可能となる。【選択図】図３
2011227143.tif 000002
【特許請求の範囲】
【請求項１】
駆動することで光を出射する光源を備え、当該光源から出射される光を用いて表示を行う表示装置であって、
前記光源に、前記表示装置の最初の動作時に駆動するように設定される初期光源と、前記表示装置の最初の動作時に駆動しないように設定される予備光源と、が含まれ、
前記表示装置の最初の動作後に第１の条件が満たされたことを確認すると、前記初期光源がその後駆動しないように設定を切り替えるとともに、前記予備光源がその後駆動するように設定を切り替える駆動切替部を備えることを特徴とする表示装置。
【請求項２】
前記第１の条件が、前記初期光源を駆動させた時間の累計が、所定の時間を超えたことであることを特徴とする請求項１に記載の表示装置。
【請求項３】
ユーザに操作されることで当該ユーザの指示を前記表示装置に入力する操作部をさらに備え、
前記第１の条件が、駆動する前記光源を切り替える旨を示す切替指示が、前記操作部を介して前記表示装置に入力されたことであることを特徴とする請求項１または請求項２に記載の表示装置。
【請求項４】
無線または有線により前記表示装置の外部から信号が入力される入力部をさらに備え、
前記第１の条件が、駆動する前記光源を切り替える旨を示す切替信号が、前記入力部を介して前記表示装置に入力されたことであることを特徴とする請求項１〜請求項３のいずれかに記載の表示装置。
【請求項５】
ユーザに報知を行う報知部をさらに備え、
前記駆動切替部が前記初期光源及び前記予備光源の駆動の設定を切り替える際に、前記報知部が、ユーザに報知を行うことを特徴とする請求項１〜請求項４のいずれかに記載の表示装置。
【請求項６】
ある予備光源が駆動するように設定されているとき、前記駆動切替部が、第２の条件が満たされたことを確認すると、それまで駆動するように設定していた前記ある予備光源がその後駆動しないように設定を切り替えるとともに、それまで駆動しないように設定していた他の予備光源または前記初期光源がその後駆動するように設定を切り替えることを特徴とする請求項１〜請求項５のいずれかに記載の表示装置。
【発明の詳細な説明】
【技術分野】
【０００１】
本発明は、光源から出射される光を用いて表示を行う表示装置に関するものである。
【背景技術】
【０００２】
近年、ＣＲＴ（Cathode Ray Tube）よりも薄い表示装置が普及してきている（例えば、特許文献１参照）。中でも液晶表示装置は、薄いだけでなく消費電力が小さいなどの利点があるため、特に普及している。
【０００３】
液晶表示装置に備えられて画像を表示する液晶パネルは、入射する光（例えば、表示装置が備える光源から出射される光や、外部から表示装置に入射する光）の透過及び遮断を画素毎に選択的に制御することで、画像の表示を行う。表示される画像の明るさや発色の良さが求められるテレビなどには、主として光源を備える液晶表示装置が適用される（例えば、特許文献２参照）。
【０００４】
このような液晶表示装置は、光源が出射する光を用いて画像を表示する。そのため、光源が光を出射することができない、光源が出射する光が弱いなどの問題が生じると、液晶表示装置が表示を行うことが困難となる。そして、光源の寿命が短くなることで液晶表示装置の製品寿命が短くなり、ＣＲＴよりも製品寿命が短くなることも少なくない。
【先行技術文献】
【特許文献】
【０００５】
【特許文献１】特開２００６−２８４９７４号公報
【特許文献２】特開２００６−１５４０２５号公報
【発明の概要】
【発明が解決しようとする課題】
【０００６】
光源を容易に交換することができれば、液晶表示装置の製品寿命を長くすることも可能である。しかしながら、液晶表示装置の光源を交換することは、専門的な知識や技術、器具を持たない一般的なユーザにとって、困難なことである。また、光源の交換を専門店等に依頼する場合、高額な費用が必要となることや、光源の交換終了までは液晶表示装置の使用ができないなど、種々の問題が生じる。
【０００７】
ユーザは、上記の種々の問題のために光源の交換を行わず、新たな液晶表示装置を購入し、光源以外に問題がない液晶表示装置を廃棄することが多い。ユーザが、光源以外に問題がない液晶表示装置を簡単に廃棄すると、液晶表示装置の製品寿命を伸ばすことができないだけでなく、廃棄されるゴミの量が増大するため、環境問題を悪化させる要因になり得る。
【０００８】
そこで、本発明は、長寿命化を図った表示装置を提供することを目的とする。
【課題を解決するための手段】
【０００９】
上記目的を達成するために本発明の表示装置は、駆動することで光を出射する光源を備え、当該光源から出射される光を用いて表示を行う表示装置であって、前記光源に、前記表示装置の最初の動作時に駆動するように設定される初期光源と、前記表示装置の最初の動作時に駆動しないように設定される予備光源と、が含まれ、前記表示装置の最初の動作後に第１の条件が満たされたことを確認すると、前記初期光源がその後駆動しないように設定を切り替えるとともに、前記予備光源がその後駆動するように設定を切り替える駆動切替部を備えることを特徴とする。
【００１０】
なお、以下の実施の形態では、駆動切替部として制御部及び切替部を例に挙げて説明している。
【００１１】
また、上記構成の表示装置において、前記第１の条件が、前記初期光源を駆動させた時間の累計が、所定の時間を超えたことであると好ましい。
【００１２】
このように構成すると、初期光源及び予備光源の駆動の設定の切り替えを、自動的に行うことが可能となる。なお、所定の時間を、初期光源が正常に駆動すると予想される時間としても構わないし、当該時間の所定の割合の時間としても構わない。
【００１３】
また、上記構成の表示装置において、ユーザに操作されることで当該ユーザの指示を前記表示装置に入力する操作部をさらに備え、前記第１の条件が、駆動する前記光源を切り替える旨を示す切替指示が、前記操作部を介して前記表示装置に入力されたことであると好ましい。
【００１４】
このように構成すると、ユーザが指示するタイミングで、初期光源及び予備光源の駆動の設定の切り替えを行うことが可能となる。
【００１５】
また、上記構成の表示装置において、前記操作部が、前記表示装置に直接的に設けられるものであると好ましい。また、上記構成の表示装置において、前記操作部が、前記表示装置と別体でありユーザに操作されることで電磁波を出射するリモートコントローラと、前記表示装置に直接的に設けられ、前記リモートコントローラから出射される電磁波を受信する受信部と、を備えるものであると好ましい。
【００１６】
また、上記構成の表示装置において、無線または有線により前記表示装置の外部から信号が入力される入力部をさらに備え、前記第１の条件が、駆動する前記光源を切り替える旨を示す切替信号が、前記入力部を介して前記表示装置に入力されたことであると好ましい。
【００１７】
このように構成すると、例えば表示装置の管理者が、容易に初期光源及び予備光源の駆動の設定の切り替えを行うことが可能となる。具体的に例えば、表示装置が、操作することが困難な場所に設置されている場合や複数ある場合に、切替信号により初期光源及び予備光源の駆動の設定を切り替えることとすると、好ましい。
【００１８】
また、上記構成の表示装置において、駆動するように設定されている光源の異常を検知する異常検知部をさらに備え、前記第１の条件が、前記異常検知部が前記初期光源の異常を検知したことであると好ましい。
【００１９】
このように構成すると、駆動するように設定されている初期光源に異常が検知された場合に、自動的に初期光源及び予備光源の駆動の設定の切り替えを行うことが可能となる。なお、異常検知部が、駆動するように設定されている光源に供給される電力及び当該光源の発光量の少なくとも一方を監視することで、光源の異常を検知するものであると好ましい。
【００２０】
また、上記構成の表示装置において、ユーザに報知を行う報知部をさらに備え、前記駆動切替部が前記初期光源及び前記予備光源の駆動の設定を切り替える際に、前記報知部が、ユーザに報知を行うと好ましい。
【００２１】
このように構成すると、ユーザが、初期光源及び予備光源の駆動の設定が切り替えられたことを把握することが可能となる。特に、自動的に初期光源及び予備光源の駆動の設定が切り替えられる場合に、報知部がユーザに対して報知すると、好ましい。
【００２２】
また、上記構成の表示装置において、ある予備光源が駆動するように設定されているとき、前記駆動切替部が、第２の条件が満たされたことを確認すると、それまで駆動するように設定していた前記ある予備光源がその後駆動しないように設定を切り替えるとともに、それまで駆動しないように設定していた他の予備光源または前記初期光源がその後駆動するように設定を切り替えると好ましい。
【００２３】
このように構成すると、ある予備光源を駆動するように設定を切り替えた後、さらにその予備光源以外の光源（他の予備光源または初期光源）を駆動するように設定を切り替えることが可能となる。そのため、駆動可能な光源を多くしたり、光源を余すことなく駆動するように設定したりすることで、光源全体のさらなる長寿命化を図ることが可能となる。
【００２４】
また、上記構成の表示装置において、前記第２の条件が、前記ある予備光源を駆動させた時間の累計が、所定の時間を経過したことであると好ましい。また、上記構成の表示装置において、ユーザに操作されることで当該ユーザの指示を前記表示装置に入力する操作部をさらに備え、前記第２の条件が、駆動する前記光源を切り替える旨を示す切替指示が、前記操作部を介して前記表示装置に入力されたことであると好ましい。また、上記構成の表示装置において、無線または有線により前記表示装置の外部から信号が入力される入力部をさらに備え、前記第２の条件が、駆動する前記光源を切り替える旨を示す切替信号が、前記入力部を介して前記表示装置に入力されたことであると好ましい。また、上記構成の表示装置において、駆動するように設定されている光源の異常を検知する異常検知部をさらに備え、前記第２の条件が、前記異常検知部が前記ある予備光源の異常を検知したことであると好ましい。
【００２５】
また、上記構成の表示装置において、ユーザに報知を行う報知部をさらに備え、前記駆動切替部が前記ある予備光源と前記他の予備光源または前記初期光源との駆動の設定を切り替える際に、前記報知部が、ユーザに報知を行うと好ましい。
【００２６】
このように構成すると、ユーザが、ある予備光源と他の予備光源または初期光源との駆動の設定が切り替えられたことを把握したり、駆動するように切り替えられた初期光源が、以前に駆動したものであることを把握したりすることが可能となる。
【発明の効果】
【００２７】
本発明によると、表示装置が複数の光源（初期光源及び予備光源）を備えるとともに、初期光源及び予備光源が順番に駆動するように設定される。そのため、光源全体の長寿命化を図ることが可能となり、表示装置の長寿命化を図ることが可能となる。さらに、表示装置の廃棄が抑制されるため、環境問題の悪化を抑制することが可能となる。
【００２８】
本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００２９】
【図１】は、本発明の実施の一形態である液晶表示装置の概略構成例を示す分解斜視図である。
【図２】は、駆動光源設定部の構成例を示すブロック図である。
【図３】は、図２に示す駆動光源設定部の動作例を示すフローチャートである。
【図４】は、バックライトの第１変形例を示す斜視図である。
【図５】は、バックライトの第２変形例を示す斜視図である。
【図６】は、バックライトの第３変形例に備えられる光源を示す図である。
【発明を実施するための形態】
【００３０】
＜液晶表示装置＞
以下、本発明の実施の一形態として、液晶表示装置を例に挙げて説明する。最初に、液晶表示装置の概略構成例について、図１を参照して説明する。図１は、本発明の実施の一形態である液晶表示装置の概略構成例を示す分解斜視図である。
【００３１】
図１に示すように、液晶表示装置１は、光を出射するバックライト１０と、バックライトから出射される光を用いて画像を表示する液晶パネル２０と、を備える。なお、説明の便宜上、バックライト１０から見て液晶パネル２０が位置する方向を、上方向とする。
【００３２】
バックライト１０は、冷陰極管などの線光源からなる複数の光源１１ａ，１１ｂと、光源１１ａまたは光源１１ｂが出射する光が側面（上面及び下面と略垂直な面）から入射するとともに当該光を面状に変化させて上面及び下面から出射する導光板１２と、導光板１２の下面から出射される光を反射して導光板１２の下面に入射させる反射板１３と、導光板１２の上面から出射される光を均一化して上方に出射する拡散板１４と、を備える。
【００３３】
光源１１ａ，１１ｂは、電力が供給されて駆動することで、光を出射する。導光板１２は、光源１１ａまたは光源１１ｂから出射される線状の光を内部で反射させて均一化することで、面状の光に変えて出射する。導光板１２の下面から出射される光は、反射板１３で反射されて導光板１２内に戻る。これにより、導光板１２の上面から効率良く光が出射される。導光板１２の上面から出射される面状の光は、拡散板１４により拡散されることでさらに均一化され、液晶パネル２０の下面に向けて出射される。
【００３４】
液晶パネル２０は、下方に備えられ特定の方向に振動する光を選択的に透過する偏光板２１と、偏光板２１の上方に備えられ液晶が封入されている基板２２と、基板２２の上方に備えられ偏光板２１と略垂直に振動する光を選択的に透過する偏光板２３と、を備える。
【００３５】
バックライト１０から出射される光は偏向板２１に入射する。偏向板２１は、入射する光の中から特定の方向に振動する光を透過させて、基板２２に出射する。基板２２は、偏向板２１を透過して出射された光の偏光方向を制御して、偏光板２３に出射する。例えば基板２２は、液晶に印加する電圧を制御することで液晶の向きを画素毎に制御して、基板２２を透過する光の偏光方向を画素毎に制御する。そして、基板２２によって偏向方向が９０度（または２７０度）変えられた画素を透過する光は、偏光板２３を透過する。即ち、当該画素は、明るい画素（カラーフィルタ（不図示）を透過することで、所定の色を示す画素）としてユーザに認識される。また、基板２２によって偏向方向が変えられなかった画素を透過する光や、上記の角度以外となるように変えられた画素を透過する光は、偏光板２３で遮断される。即ち、当該画素は、暗い画素（黒を示す画素）としてユーザに認識される。
【００３６】
＜駆動光源設定部＞
図１に示すように、液晶表示装置１のバックライト１０は複数の光源１１ａ，１１ｂを備え、いずれかが駆動して光を出射するように設定される。また、光源１１ａ，１１ｂの駆動の許否の設定は、駆動光源設定部によって行われる。この駆動光源設定部について、以下図面を参照して説明する。図２は、駆動光源設定部の構成例について示したブロック図である。
【００３７】
図２に示すように、駆動光源設定部３０は、各部の動作を制御するとともに光源１１ａ，１１ｂの駆動時間を計測する制御部３１と、制御部３１で計測された駆動時間を記録する記録部３２と、液晶表示装置１に直接的に設けられユーザによって操作されることでユーザの指示を制御部３１に入力する本体操作部３３と、液晶表示装置１と別体でありユーザに操作されることでユーザの指示を電磁波の信号として出射するリモートコントローラ３４と、液晶表示装置１に直接的に設けられリモートコントローラ３４から出射される電磁波の信号を受信することでユーザの指示を制御部３１に入力する受信部３５と、通信機器ＭやネットワークＮと制御部３１との通信を媒介する通信部３６と、光源１１ａ，１１ｂの異常を検知して制御部３１に伝える異常検知部３７と、制御部３１により制御されて光源１１ａ，１１ｂの駆動の許否の設定を切り替える切替部３８と、制御部３１により制御されてユーザに報知を行う報知部３９と、を備える。
【００３８】
光源１１ａ，１１ｂは、制御部３１及び切替部３８により、駆動の許否が設定される。特に、光源１１ａ，１１ｂの一方が駆動するように設定され、他方は駆動しないように設定される。例えば、液晶表示装置１の最初の動作時（即ち、初期状態）において、光源１１ａ（初期光源）が駆動するように設定されていれば、光源１１ｂ（予備光源）は駆動しないように設定される。また、制御部３１は、所定の条件を満たしたことを確認すると、切替部３８を制御して、光源１１ａ，１１ｂの駆動の許否の設定を切り替える（詳細は後述）。
【００３９】
制御部３１は、光源１１ａ，１１ｂが駆動した時間を計測する。また、制御部３１が計測した時間は、記録部３２に記録される。また、制御部３１は、記録部３２を参照することで、光源１１ａ，１１ｂが駆動した時間の累計（以下、累計駆動時間とする）を確認することができる。
【００４０】
本体操作部３３は、例えば、液晶表示装置１と一体になるように設置されるボタンなどから成る。ユーザは、本体操作部３３を操作する（例えば、ボタンを押下する）ことで、制御部３１に指示を入力する。これにより、ユーザの指示が液晶表示装置１に入力される。制御部３１は、入力された指示に従い液晶表示装置１の各部の動作を制御する。また、本体操作部３３を介して制御部３１に入力される指示の一つに、駆動する光源１１ａ，１１ｂを切り替える指示（以下、切替指示とする）が含まれる。
【００４１】
リモートコントローラ３４は、例えば、各種ボタンを備えるとともに、ユーザに操作された内容（例えば、押下されたボタンを示す情報）を、電磁波（例えば、赤外線）の信号として出射する。受信部３５は、例えば、液晶表示装置１と一体になるように設置され、受信した電磁波の信号が示すユーザの指示を、制御部３１に入力する。これにより、ユーザの指示が液晶表示装置１に入力される。制御部３１は、入力された指示に従い液晶表示装置１の各部の動作を制御する。また、本体操作部３３と同様に、リモートコントローラ３４及び受信部３５を介して制御部３１に入力される指示の一つに、切替指示が含まれる。
【００４２】
通信部３６は、液晶表示装置１の外部の通信機器ＭやネットワークＮと、制御部３１との通信を媒介する。特に、通信部３６は、外部の通信機器ＭやネットワークＮ（特に、ネットワークＮに接続されている通信機器）から液晶表示装置１に入力される信号を受信して、制御部３１に入力する。制御部３１は、入力された信号に従い液晶表示装置１の各部の動作を制御する。また、通信部３６が受信して制御部３１に入力する信号の一つに、駆動する光源１１ａ，１１ｂを切り替える信号（以下、切替信号とする）が含まれる。なお、制御部３１が、外部の通信機器ＭやネットワークＮ（特に、ネットワークＮに接続されている通信機器）に対し、通信部３６を介して信号（例えば、光源１１ａ，１１ｂの状態を示す信号）を送信可能であっても構わない。
【００４３】
切替指示は、例えば、液晶表示装置１を所有し使用する一般的なユーザによって、入力される。切替信号は、例えば、街頭や店舗などに設置される液晶表示装置１（例えば、操作することが困難な場所に設置されているものや、複数あるもの）を管理する管理者によって、入力される。なお、これらは一例に過ぎず、どのような態様で液晶表示装置１が使用されても構わないし、どのような者が切替指示または切替信号を入力しても構わない。
【００４４】
異常検知部３７は、例えば、駆動するように設定されている光源１１ａ，１１ｂに対して、供給される電力を監視（例えば、供給される電流及び電圧の少なくとも一方が、正常動作時には取り得ない範囲の値となるか否かを監視）したり、発光量を監視したりすることで、光源１１ａ，１１ｂの異常を検知する。異常検知部３７は、駆動するように設定されている光源の異常を検知すると、当該光源が異常であることを示す信号（以下、光源異常信号とする）を、制御部３１に入力する。
【００４５】
報知部３９は、例えば、液晶パネル２０のＯＳＤ（On Screen Display）機能や、液晶表示装置１に設けられたＬＥＤ（Light Emitting Diode）などから成る。また、報知部３６は、制御部３１の制御に従ってユーザに対し報知を行う。例えば、制御部３１によって切替部３８が制御されることにより、光源１１ａ，１１ｂの駆動の許否の設定が切り替えられたときに、必要に応じて報知を行う。なお、報知部３９は、ユーザに対して報知可能なものであれば、上記のようなユーザの視覚に訴えるものに限られず、聴覚に訴える（例えば、スピーカなど）ものであっても構わないし、これらを組み合わせたものであっても構わない。
【００４６】
次に、駆動光源設定部３０の動作例について、図面を参照して説明する。図３は、図２に示す駆動光源設定部の動作例を示すフローチャートである。なお、以下では説明の具体化のため、光源１１ａが駆動するように設定されており、光源１１ｂが駆動しないように設定されているものとする。特に、光源１１ａ（初期光源）が、液晶表示装置１の最初の動作時に駆動するように設定されているものとし、光源１１ｂ（予備光源）が、液晶表示装置１の最初の動作時に駆動しないように設定されているものとする。
【００４７】
図３に示すように、駆動光源設定部３０は、液晶表示装置１の電源がＯＮになるまで待機する（ＳＴＥＰ１、ＮＯ）。そして、液晶表示装置１の電源がＯＮになると（ＳＴＥＰ１、ＹＥＳ）、駆動光源設定部３０は動作する。
【００４８】
まず、制御部３１が、光源１１ａの駆動時間の計測を開始する（ＳＴＥＰ２）。制御部３１は、記録部３２を参照することで、光源１１ａの累計駆動時間を確認することができる。また、制御部３１は、光源１１ａの累計駆動時間が予め設定されている予定寿命時間を超えたか否かを確認する（ＳＴＥＰ３）。予定寿命時間は、例えば、光源が正常に駆動すると予想される時間であっても構わないし、当該時間の所定の割合の時間であっても構わない。
【００４９】
制御部３１は、光源１１ａの累計駆動時間が予定寿命時間を超えていないことを確認すると（ＳＴＥＰ３、ＮＯ）、本体操作部３３を介して、またはリモートコントローラ３４及び受信部３５を介して、切替指示が入力されたか否かを確認する（ＳＴＥＰ４）。
【００５０】
制御部３１は、切替指示が入力されていないことを確認すると（ＳＴＥＰ４、ＮＯ）、通信部３６を介して切替信号が入力されたか否かを確認する（ＳＴＥＰ５）。
【００５１】
制御部３１は、切替信号が入力されていないことを確認すると（ＳＴＥＰ５、ＮＯ）、異常検知部３７から光源異常信号が入力されたか否かを確認する（ＳＴＥＰ６）。
【００５２】
そして、制御部３１が、光源異常信号が入力されていないことを確認すると（ＳＴＥＰ６、ＮＯ）、光源１１ａ，１１ｂの駆動の設定を切り替えないようにする（ＳＴＥＰ７）。即ち、制御部３１が切替部３８を制御して、光源１１ａがその後も駆動するように、また、光源１１ｂがその後も駆動しないように、現在の設定を維持する。
【００５３】
ここで、液晶表示装置１の電源がＯＦＦにならない場合（ＳＴＥＰ８、ＮＯ）、ＳＴＥＰ３に戻り、制御部３１がＳＴＥＰ３〜ＳＴＥＰ６の各条件が満たされるか否かを確認する。一方、液晶表示装置１の電源がＯＦＦになる場合、制御部３１が光源１１ａの駆動時間の計測を終了し（ＳＴＥＰ９）、駆動光源設定部３０の動作を終了する。また、制御部３１は、計測した光源１１ａの駆動時間を記録部３２に記録する。なお、制御部３１が、液晶表示装置１の電源をＯＦＦにする際に光源１１ａの駆動時間を記録部３２に記録するようにしても構わないし、計測した光源１１ａの駆動時間を順次記録部３２に記録するようにしても構わない。
【００５４】
ところで、制御部３１が、光源１１ａの累計駆動時間が予定寿命時間を超えることを確認する場合（ＳＴＥＰ３、ＹＥＳ）、報知部３９を制御することでその旨をユーザに報知して（ＳＴＥＰ１０）、光源１１ａ，１１ｂの駆動の設定を切り替える（ＳＴＥＰ１１）。即ち、制御部３１が切替部３８を制御して、光源１１ａがその後駆動しないように設定を切り替え、光源１１ｂがその後駆動するように設定を切り替える。なお、ＳＴＥＰ１０の報知部３９による報知を、ＳＴＥＰ１１の光源１１ａ，１１ｂの駆動の設定の切替後に行うこととしても構わない。
【００５５】
また、制御部３１が、切替指示が入力されたこと（ＳＴＥＰ４、ＹＥＳ）、切替信号が入力されたこと（ＳＴＥＰ５、ＹＥＳ）、または光源異常信号が入力されたこと（ＳＴＥＰ６、ＹＥＳ）を確認する場合も、光源１１ａ，１１ｂの駆動の設定を切り替える（ＳＴＥＰ１１）。なお、この場合図３では、ＳＴＥＰ１０の報知部３９による報知を行わないこととしているが、上述の場合（ＳＴＥＰ３、ＹＥＳとなる場合）と同様に、ＳＴＥＰ１１の前または後に報知部３９による報知を行うこととしても構わない。
【００５６】
また、制御部３１は、ＳＴＥＰ１１で光源１１ａ，１１ｂの駆動の設定を切り替えると、光源１１ａの駆動時間の計測を終了し、光源１１ｂの駆動時間の計測を開始する（ＳＴＥＰ１２）。そして、以降光源１１ａが駆動するように設定されていた場合と同様に（上述した説明中の１１ａ及び１１ｂを適宜入れ替えたように）、駆動光源設定部３０が動作する。なお、ＳＴＥＰ１２で、それまで駆動するように設定されていた光源１１ａの駆動時間を、記録部３２から消去しても構わないし、記録部３２に記録しておき光源１１ａの駆動の履歴として制御部３１が参照可能としても構わない。
【００５７】
以上のように構成すると、液晶表示装置１が複数の光源１１ａ，１１ｂを備えるとともに、当該光源１１ａ，１１ｂが順番に駆動するように設定される。そのため、光源１１ａ，１１ｂ全体の長寿命化を図ることが可能となり、液晶表示装置１を長寿命化することが可能となる。さらに、液晶表示装置の廃棄が抑制されるため、環境問題の悪化を抑制することが可能となる。
【００５８】
また、光源１１ａ，１１ｂの累計駆動時間が予定寿命時間を経過する場合に、光源１１ａ，１１ｂの駆動の設定を切り替えるため、自動的に光源１１ａ，１１ｂの駆動の設定の切り替えを行うことが可能となる。
【００５９】
また、切替指示が入力された場合に、光源１１ａ，１１ｂの駆動の設定を切り替えるため、ユーザが指示するタイミングで、光源１１ａ，１１ｂの駆動の設定の切り替えを行うことが可能となる。
【００６０】
また、切替信号が入力された場合に、光源１１ａ，１１ｂの駆動の設定を切り替えるため、例えば液晶表示装置１の管理者が、容易に光源１１ａ，１１ｂの駆動の設定の切り替えを行うことが可能となる。特に、液晶表示装置１が、操作することが困難な場所に設置されている場合や複数ある場合に、切替信号により光源１１ａ，１１ｂの駆動の設定を切り替えることとすると、好ましい。
【００６１】
また、光源異常信号が入力された場合に、光源１１ａ，１１ｂの駆動の設定を切り替えるため、駆動するように設定されている光源１１ａ，１１ｂに異常が検知された場合に、自動的に光源１１ａ，１１ｂの駆動の設定を切り替えることが可能となる。
【００６２】
また、制御部３１及び切替部３８が光源１１ａ，１１ｂの駆動の設定を切り替えた場合に、報知部３９がユーザに対して報知を行うため、ユーザが光源１１ａ，１１ｂの駆動の設定が切り替えられたことを把握することが可能となる。特に、自動的に光源１１ａ，１１ｂの駆動の設定が切り替えられる場合（例えば、累計駆動時間が予定寿命時間を超えた場合や、光源異常信号が入力された場合）に、報知部３９がユーザに対して報知すると、好ましい。
【００６３】
なお、１回目のＳＴＥＰ１１で光源１１ｂを駆動するように設定を切り替えた後、２回目のＳＴＥＰ１１となったとき、光源１１ａを駆動するように設定を切り替えても構わない。
【００６４】
このように構成すると、光源１１ｂを駆動するように設定を切り替えた後、光源１１ａを駆動するように設定を切り替えることが可能となる。そのため、光源１１ａ，１１ｂを、余すことなく駆動させることが可能となり、光源全体のさらなる長寿命化を図ることが可能となる。
【００６５】
また、１回目のＳＴＥＰ１１で光源１１ｂが駆動するように設定を切り替えた後、２回目のＳＴＥＰ１１となったとき、設定を切り替えない（例えば、ＳＴＥＰ１１の代わりに、報知部３９が、駆動するように設定を切り替えることができる光源が無いことを報知する）こととしても構わない。
【００６６】
また、上記の２回目のＳＴＥＰ１１となったとき、光源１１ａを駆動するように設定を切り替えながらも、報知部３９が、駆動するように切り替えられた光源１１ａが、以前に駆動したものであることを報知しても構わない。
【００６７】
また、光源１１ｂの駆動時間の計測（ＳＴＥＰ１２）と、光源１１ｂの累計駆動時間及び予定寿命時間の比較（ＳＴＥＰ３）と、を行わないこととしても構わない。即ち、光源１１ｂが駆動するように設定されているとき、切替指示や切替信号、光源異常信号が入力された場合に（ＳＴＥＰ４〜５のいずれかがＹＥＳ）、ＳＴＥＰ１１で光源１１ａが駆動するように設定が切り替えられることとしても構わない。
【００６８】
また、図２では、切替部３８を概念的に示すため、回路を切り替える物理的なスイッチのように図示しているが、切替部３８の切り替え方法はこの限りではない。例えば、切替部３８が光源１１ａ，１１ｂのそれぞれに出力する制御信号の状態に応じて、光源１１ａ，１１ｂの駆動の許否の設定が切り替えられるものとしても構わない。
【００６９】
また、液晶表示装置１が、光源１１ａ，１１ｂのそれぞれを駆動するそれぞれの駆動部（例えば、インバータ）を備えても構わないし、光源１１ａ，１１ｂのそれぞれを駆動する共通の駆動部を備えても構わない。
【００７０】
また、図１〜図３に示した液晶表示装置１は、２つの光源（初期光源及び予備光源）１１ａ，１１ｂを備えるものであるが、３つ以上の光源を備えるものとしても構わない。例えば、出射した光が導光板１２の側面に入射し得る任意の位置に、それぞれの光源を配置しても構わない。
【００７１】
また、３つ以上の光源を備える場合、上述した２つの場合と同様に、駆動するように設定される光源が、順番に切り替えられるとしても構わない。また、同時に２つ以上の光源が駆動するように設定され、それぞれ順番に切り替えられるとしても構わない。
【００７２】
このように構成すると、光源１１ｂを駆動するように設定を切り替えた後、別の光源を駆動するように設定を切り替えることが可能となる。そのため、駆動可能な光源を多くして、光源全体のさらなる長寿命化を図ることが可能となる。
【００７３】
また、３つ以上の光源を備える場合、全ての光源が一度は駆動するように設定された後、ＳＴＥＰ１１となったとき、最初の動作時に駆動するように設定されていた光源（初期光源）を駆動するように設定を切り替えても構わない。また、設定を切り替えない（例えば、ＳＴＥＰ１１の代わりに、報知部３９が、駆動するように設定を切り替えることができる光源が無いことを報知する）こととしても構わない。また、最後に駆動するように設定される光源について、駆動時間の計測（ＳＴＥＰ１２）と、累計駆動時間及び予定寿命時間の比較（ＳＴＥＰ３）と、を行わないこととしても構わない。
【００７４】
＜バックライトの変形例＞
図１に示すバックライト１０は、導光板１２の対向する１組の側面に、線状の光源１１ａ，１１ｂをそれぞれ備える構成であるが、これ以外の構成とすることも可能である。バックライト１０の種々の変形例について、以下図面を参照して説明する。なお、以下に示す各変形例における光源も、上述のように駆動の許否の設定が切り替えられる。
【００７５】
（第１変形例）
図４は、バックライトの第１変形例を示す斜視図であり、図１に示す光源１１ａ，１１ｂ及び導光板１２に相当する部分を示すものである。図４に示すように、本例は、光源１１１ａ，１１１ｂが、導光板１２の同じ側面付近に配置される。
【００７６】
このように構成すると、光源１１１ａまたは光源１１１ｂが出射する光が入射する導光板１２の側面（以下、光入射側面とする）が、一つに限定される。そのため、導光板１２の設計（特に、導光板１２内での反射のさせ方）を、簡単なものにすることが可能となる。
【００７７】
なお、図４では、導光板１２の光入射側面に沿って、上下方向に光源１１１ａ，１１１ｂが並ぶ場合について図示しているが、左右方向（光入射側面に対して略垂直方向）に並ぶように配置しても構わない。また、斜め方向に並ぶ（配置する位置が、上下方向及び左右方向に対してずれる）ように配置しても構わない。また、３つ以上の光源を配置する場合も、同様に配置しても構わない。
【００７８】
（第２変形例）
図５は、バックライトの第２変形例を示す斜視図であり、図１に示す光源１１ａ，１１ｂ及び導光板１２と置換され得る部分を示すものである。図５に示すように、本例は、これまで説明してきたバックライトと同様に、複数の光源２１１ａ，２１１ｂを備えるが、導光板１２を備えない。即ち、本例は、これまで説明してきたバックライトと同様のエッジライト方式（導光板方式）の一例を示すものではなく、直下型方式の一例を示すものである。直下型方式は、光源２１１ａまたは光源２１１ｂが出射する光や、当該光を反射板１３で反射させた光を拡散板１４で均一化して、液晶パネル２０に入射する（図１参照）。
【００７９】
本例では、複数の線光源から成る光源２１１ａと、同じく複数の線光源から成る光源２１１ｂと、が上下方向と略垂直な面内で、それぞれを成す線光源が交互に（１つ置きに）並ぶように配置される。
【００８０】
このように構成すると、駆動する光源２１１ａ，２１１ｂを切り替えた場合に、駆動する光源２１１ａ，２１１ｂの位置が、全体として大きく変動することが抑制される。そのため、光源２１１ａ，２１１ｂの駆動の設定の切り替えに伴い、拡散板１４から液晶パネル２０に出射される光が変動することを、抑制することが可能となる。
【００８１】
なお、ｎ個（ｎは３以上の整数）の光源を配置する場合、それぞれの光源を成す線光源が、上下方向と略垂直な面内でｎ−１個置きに並ぶように配置しても構わない。
【００８２】
（第３変形例）
図６は、バックライトの第３変形例に備えられる光源を示す図である。本例は、これまで説明してきた線光源の代わりに、点光源を用いるものである。以下、説明の具体化のため、点光源としてＬＥＤを適用した場合を例に挙げて、説明する。
【００８３】
本例では、複数の点光源が直列に接続されて成る光源３１１ａと、同じく複数の点光源が直列に接続されて成る光源３１１ｂと、が所定の方向（例えば、図１や図４、図５に示す線光源の長手方向）に対して、それぞれを成す点光源が交互に（１つ置きに）並ぶように配置される。
【００８４】
このように構成すると、駆動する光源３１１ａ，３１１ｂを切り替えた場合に、駆動する光源３１１ａ，３１１ｂの位置が、全体として大きく変動することが抑制される。そのため、光源３１１ａ，３１１ｂの駆動の設定の切り替えに伴い、拡散板１４から液晶パネル２０に出射される光が変動することを、抑制することが可能となる。
【００８５】
なお、図６に示すような複数の光源を成す点光源の列を、複数列設けても構わない。また、複数の点光源の列のそれぞれに、複数の光源を成す点光源が含まれても構わないし、一つの光源を成す点光源が一つの列を成すこととしても構わない。
【００８６】
また、ｎ個（ｎは３以上の整数）の光源を成す点光源を同じ列に配置する場合、それぞれの光源を成す点光源が、ｎ−１個置きに並ぶように配置しても構わない。
【００８７】
＜変形例＞
なお、本発明の実施の一形態として、液晶表示装置を例に挙げて説明したが、光源が出射する光を用いて表示を行う表示装置であれば、他の種類の表示装置にも本発明を適用することができる。
【００８８】
また、本発明の実施の一形態である液晶表示装置１について、制御部３１や切替部３８などの一部または全部の動作を、マイクロプロセッサなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００８９】
また、上述した場合に限らず、図２に示す駆動光源設定部３０は、ハードウェア、或いは、ハードウェアとソフトウェアの組み合わせによって実現可能である。また、ソフトウェアを用いて駆動光源設定部の一部を構成する場合、ソフトウェアによって実現される部位についてのブロックは、その部位の機能ブロックを表すこととする。
【００９０】
以上、本発明における実施形態について説明したが、本発明の範囲はこれに限定されるものではなく、発明の主旨を逸脱しない範囲で種々の変更を加えて実行することができる。
【産業上の利用可能性】
【００９１】
本発明は、光源から出射される光を用いて表示を行う表示装置に利用可能である。特に、バックライトから出射される光を用いて画像を表示する液晶パネルを備えた液晶表示装置に利用すると、好適である。
【符号の説明】
【００９２】
１    液晶表示装置
１０  バックライト
１１ａ，１１ｂ  光源
１２  導光板
３０  駆動光源設定部
３１  制御部
３２  記録部
３３  本体操作部
３４  リモートコントローラ
３５  受信部
３６  通信部
３７  異常検知部
３８  切替部
３９  報知部
【図１】
2011227143.tif 000003
【図２】
2011227143.tif 000004
【図３】
2011227143.tif 000005
【図４】
2011227143.tif 000006
【図５】
2011227143.tif 000007
【図６】
2011227143.tif 000008